(57)【要約】      （修正有）【課題】一体性に優れ、生産効率が高く、低コストであるなどの利点を有するマスクを提供する。【解決手段】顔面にフィットさせるのに用いられる本体及び耳に掛けるのに用いられる耳掛け部２を含み、人が立っているときの左右方向を横方向、左右方向の寸法を長さ、上下方向を縦方向、上下方向の寸法を幅と定義するマスクであって、耳掛け部２の左辺部は本体１の左辺部に固定され、耳掛け部２の右辺部は本体１の右辺部に固定され、耳掛け部２上には、横方向に沿って延伸して頭に掛けるのに用いられる、又は耳に掛けるのに用いられる第１スリット１０が開設され、第１スリット１０は外力の作用により第１スリット１０の長さ方向に沿った切れ目が大きく開くことを特徴とする。【選択図】図２
0003230835.tif 000002
【実用新案登録請求の範囲】
【請求項１】
顔面にフィットさせるのに用いられる本体（１）及び耳に掛けるのに用いられる耳掛け部（２）を含み、人が立っているときの左右方向を横方向、左右方向の寸法を長さ、上下方向を縦方向、上下方向の寸法を幅と定義するマスクであって、
耳掛け部（２）の左辺部（２１）は本体（１）の左辺部に固定され、耳掛け部（２）の右辺部（２２）は本体（１）の右辺部に固定され、
耳掛け部（２）上には、横方向に沿って延伸して頭部に掛けるのに用いられる、又は耳に掛けるのに用いられる第１スリット（１０）が開設され、第１スリット（１０）は外力の作用により第１スリット（１０）の長さ方向に沿った切れ目が大きく開くことを特徴とするマスク。
【請求項２】
第１スリット（１０）を耳に掛けて使用するとき、耳掛け部（２）上には上下方向の切れ目、第２スリット（７）又はミシン目が設けられ、耳掛け部（２）には切れ目、第２スリット（７）又はミシン目を裂き開いて左耳掛け部（３）及び右耳掛け部（４）が形成され、左耳掛け部（３）は左耳に掛けるのに用いられ、右耳掛け部（４）は右耳に掛けるのに用いられることを特徴とする請求項１に記載のマスク。
【請求項３】
耳掛け部（２）の左辺部（２１）、右辺部（２２）と本体（１）の左辺部、右辺部は溶着固定され、耳掛け部（２）は本体（１）の外側又は内側に位置することを特徴とする請求項１に記載のマスク。
【請求項４】
耳掛け部（２）は不織布シート又は伸縮性を有するその他のシートであり、耳掛け部（２）は一体成形のシートであることを特徴とする請求項１、２又は３に記載のマスク。
【請求項５】
耳掛け部（２）の左辺部（２１）の上部及び下部並びに耳掛け部（２）の右辺部（２２）の上部及び下部には本体（１）の辺部と溶着される溶着部（３０）が形成され、耳掛け部（２）の左辺部（２１）と耳掛け部（２）の右辺部（２２）の中間には本体（１）と溶着されない調整部（２０）が形成されることを特徴とする請求項１、２又は３に記載のマスク。
【請求項６】
本体（１）全体の形状は長方形であり、耳掛け部（２）の形状、大きさと本体（１）が開いていない状態の形状、大きさは同じであり、耳掛け部（２）は本体（１）を覆うことを特徴とする請求項１、２又は３に記載のマスク。
【請求項７】
第２スリット（７）の数量は１〜５つであり、第２スリット（７）の数量が複数であるとき、各第２スリット（７）は同一直線上に間隔を空けて設けられ、
耳掛け部（２）の左半分及び右半分にはいずれも第１スリット（１０）が開設され、耳掛け部（２）の左半分及び右半分の第１スリット（１０）の数量はいずれも１〜３つであり、第１スリット（１０）の数量が複数であるとき、各第１スリット（１０）は同一線上に間隔を空けて設けられることを特徴とする請求項２に記載のマスク。
【請求項８】
耳掛け部（２）の長さは２５０〜５００ｍｍであることを特徴とする請求項１に記載のマスク。
【請求項９】
本体（１）は横方向に沿って延伸するプリーツ部（５）を含み、プリーツ部（５）は複数の相互に重なる部分を有する折り重ね部（６）を含み、折り重ね部（６）の両側はそれぞれ相互に溶着され、
本体（１）は中央部（１１）を含み、プリーツ部（５）にはマスク本体（１）の中央部（１１）から上方部に向かって顔面と接触する一側に上折り重ね部（６１）が形成され、マスク本体（１）の中央部（１１）から下方部に向かって顔面と接触する一側に下折り重ね部（６２）が形成されることを特徴とする請求項１に記載のマスク。
【請求項１０】
中央部（１１）の上側を２〜５回折り重ねることにより上折り重ね部（６１）が形成され、中央部（１１）の下側を２〜５回折り重ねることにより下折り重ね部（６２）が形成され、
本体（１）が開いていないとき、上側プリーツの顔面に一番近い折り目と下側プリーツの顔面に一番近い折り目が相互に接して直線を成すことにより、上側プリーツと下側プリーツの最も内側が中央部（１１）を完全に覆うようになり、
本体（１）が開いていない状態では、本体（１）の幅は４０〜７０ｍｍの間であり、本体（１）の長さは１４０〜２００ｍｍの間であり、
本体（１）の上側には細長くて自在に湾曲する部材が設置されることを特徴とする請求項９に記載のマスク。
【考案の詳細な説明】
【技術分野】
【０００１】
本考案は医療衛生用品分野に関し、特にマスクに関する。
【背景技術】
【０００２】
マスクはウィルスの伝搬を遮断する常用手段の一つである。現在の使い捨て医療用マスクは、装着時に変形してマスク両側の辺縁と頬の接触部分の密着性が悪くなることで、ウィルスが伝播してしまう可能性があり、かつマスクの面積が大きいと、輸送や貯蔵に不利である。例えば特許文献１では医療用外科マスクを開示しており、これは頭の後部に連結留め具を追加する形式を用いてマスクの辺部と顔面をフィットさせるマスクであるが、このようなマスクは構造が複雑で、部材が多く、コストが高い。
【先行技術文献】
【特許文献】
【０００３】
【特許文献１】中国実用新案公告ＣＮ２０５７９４９０Ｕ号明細書
【考案の概要】
【考案が解決しようとする課題】
【０００４】
本考案は、マスクの辺部と顔面が十分に密着せず、防護効果が不十分となり、マスクの一体性が劣り、加工が複雑で輸送に不便であるなどの既存のマスクの欠点に対するものである。
【課題を解決するための手段】
【０００５】
上述した技術的問題は、以下の技術案によって解決される。
【０００６】
マスクは、顔面にフィットさせるのに用いられる本体及び耳に掛けるのに用いられる耳掛け部を含み、人が立っているときの左右方向を横方向、左右方向の寸法を長さ、上下方向を縦方向、上下方向の寸法を幅と定義し、耳掛け部の左辺部は本体の左辺部に固定され、耳掛け部の右辺部は本体の右辺部に固定され、耳掛け部上には、横方向に沿って延伸して頭に掛けるのに用いられる、又は耳に掛けるのに用いられる第１スリットが開設され、第１スリットは外力の作用により第１スリットの長さ方向に沿った切れ目が大きく開く。耳掛け部が十分に長いとき、第１スリットは耳掛け部の切れ目を上下２つの部分に開いて頭部に付けるバンドとして使用することにより、マスクを顔面に固定することができる。
【０００７】
マスクは、耳掛け部上に上下方向の切れ目、第２スリット又はミシン目が設けられ、耳掛け部は切れ目、第２スリット又はミシン目を裂き開いて左耳掛け部及び右耳掛け部が形成され、左耳掛け部は左耳に掛けるのに用いられ、右耳掛け部は右耳に掛けるのに用いられる。従来の耳掛け紐の代わりに一体型を採用した耳掛け部を用いることで、加工がさらに簡単になるという利点を有し、耳掛け部と本体の接続は本体を加工する機器上で完成することができるので、加工効率が大幅に高まると同時に、耳掛け部の設計はマスクの一体性をより優れたものにし、整った外観になり、輸送にも便利になるとともに、マスクが未使用か否かを見分けやすくなる。また、耳掛け部は本体の辺部と顔面の間の隙間を密閉することができるので、マスクの遮断効果がさらに増す。
【０００８】
好ましくは、耳掛け部の左辺部、右辺部と本体の左辺部、右辺部は溶着固定され、耳掛け部は本体の外側又は内側に位置する。耳掛け部は簡単に耳に掛けて固定する役割を果たし、さらに密閉遮断の役割も果たし、しかもこのような耳掛け部は耳との接触面積もより大きく、装着もより快適になる。耳掛け部を本体の外側に設けるとき、耳掛け部は外側から耳部分に向かって延伸するので、耳掛け部と顔面がよりフィットし、かつ呼吸する過程においてマスクの内圧が上昇する状況でも、このような設計により顔面全体に押し付ける力は確保され、気体を吸ったり吐いたりしてもマスクの辺部から漏れることがない。
【０００９】
好ましくは、耳掛け部は不織布シート又は伸縮性を有するその他のシートであり、耳掛け部は一体成形のシートである。不織布はマスク加工の原材料であり、不織布を耳掛け部として採用することにより、材料を仕入れる際の様々な問題点が解決され、生産コストが抑えられ、加工効率が上がる。
【００１０】
好ましくは、耳掛け部の左辺部の上部及び下部並びに耳掛け部の右辺部の上部及び下部には本体の辺部と溶着される溶着部が形成され、耳掛け部の左辺部と耳掛け部の右辺部の中間には本体と溶着されない調整部が形成される。
【００１１】
好ましくは、耳掛け部の形状、大きさと本体が開いていない状態の形状、大きさは同じであり、耳掛け部は本体を覆い、耳掛け部は辺部と本体辺部を溶着することにより固定が実現される。耳掛け部の形状、大きさと本体の形状、大きさが同じであることで、マスクの一体性が確保される。
【００１２】
好ましくは、耳掛け部を裂いて開き左耳掛け部、右耳掛け部として用いられるスリットであって、スリットは第２スリットであり、第２スリットの数量は１〜５つであり、第２スリットは同一直線上かつ上下方向に沿って配置される。スリットの加工はロータリーカッターを用いて行うことができ、このような構造のスリットは加工過程において余分な廃材が出ないので、ゴミの発生が回避され、加工も簡単になる。耳掛け部の左半分又は右半分の第１スリットの数量はいずれも１〜３つであり、各第１スリットは同一線上で横向きに沿って配置される。複数のスリットは裂いて１つの開口にするのに便利であり、裂いて開く距離が長すぎて切れ目の寸法が対応せず、使用や美観に影響するという事態が避けられる。
【００１３】
好ましくは、本体は中央部を含み、プリーツ部にはマスク本体の中央部から上方部に向かって顔面と接触する一側に上折り重ね部が形成され、マスク本体の中央部から下方部に向かって顔面と接触する一側に下折り重ね部が形成される。このような構造のマスクは幅が小さいという利点を有し、マスクの左側及び右側と顔面がよりぴったりとフィットし、形成される隙間がより小さくなると同時に耳掛け部の寸法が縮小し、顔面とフィットする面積が縮小し、遮断効果に影響しない状況で、さらに美観や快適性に優れると同時に、コストが抑えられる。
【００１４】
好ましくは、中央部上側プリーツの折り重ね回数は２〜５回であり、中央部下側プリーツの折り重ね回数は２〜５回であり、本体が開いていないとき、上側プリーツの顔面に一番近い折り目と下側プリーツの顔面に一番近い折り目が相互に接して直線を成すことにより、上側プリーツと下側プリーツの最も内側が中央部を完全に覆うようになる。このようなプリーツ様式は、中央の幅が一定の状況において最も小さい幅寸法の本体が得られ、マスク本体がよりコンパクトになり、かさばらなくなる。本体が開いていない状態では、本体の幅は４０〜７０ｍｍの間であり、本体の長さは１４０〜２００ｍｍの間であり、本体の上側には細長くて自在に湾曲する部材が設置される。
【考案の効果】
【００１５】
本考案は以上の技術案を採用し、顕著な技術効果を有する。本願はマスクの耳掛け部分に対する設計を行うことにより、本体と異なる材質の紐を仕入れる必要があり、さらに耳掛け部の溶着には単独の設備が必要となるといった従来マスクの問題を解決する。したがって、このようなマスクは生産効率が高く、コストが低いという利点を有する。また、このような耳掛け部の加工は簡単であり、マスク本体を加工する設備を用いてマスク本体との溶着を行うことができ、耳掛け部の加工過程中で余分な廃材が発生することがない。スリット式の耳掛け部は使用者がマスクが使用済みであるか否かを見分けるのに便利であり、業者が回収した古いマスクを新しいマスクとして販売することを回避できる。
【００１６】
また、耳掛け部の形状が大きすぎて美観や付け心地に影響するのを回避するために、本願では新型のマスク構造を設計し、マスク本体の構造は中間部を両側に向かって折り重ねてプリーツを形成する方式によりマスクの幅が縮小し、マスク装着時に、マスクの左側及び右側と顔面がぴったりフィットするようになり、マスクの耳掛け部の幅寸法が縮小することにより、マスクの外観が良くなり、付け心地もより快適になる。
【００１７】
本考案のマスクは外観の一体性に優れ、遮断効果が高く、遮断阻止の効果は従来のマスクの濾過効率４０％から９６％まで上がり、市販のＮ９５マスクに匹敵し、マスク全体の寸法もさらに小さく、付け心地がより快適になる。また、このようなマスクの装着方式は多様であり、頭に装着する方式又は耳に掛ける方式を選択できる。
【図面の簡単な説明】
【００１８】
【図１】耳掛け部が開いていない状態のマスクを示す図である。
【図２】耳掛け部が開いている状態のマスクを示す図である。
【図３】図１の背面図である。
【考案を実施するための形態】
【００１９】
以下に添付の図面と実施例を組み合わせて本考案のさらなる詳細を説明する。
【実施例１】
【００２０】
本実施例中の上、下、左、右方向は人が立っているときを基準とし、左右方向は横方向とし、左右方向の寸法は長さとし、上下方向は縦方向とし、上下方向の寸法は幅とする。
【００２１】
図１から図３が示すように、マスクは顔面にフィットさせるのに用いられる本体１及び耳に掛けるのに用いられる耳掛け部を含む。本実施例中の本体１は内層及び外層を含み、内層の辺縁と外層の辺縁は溶着される。内層の材料はメルトブロー不織布であってよく、コットン、ガーゼなどの通気性に優れた布などでもよい。外層の材料はメルトブロー不織布であってよく、綿、ガーゼなどの通気性に優れた布などでもよい。そして、本体１は中間層をさらに含み、中間層は内層と外層の間に位置し、中間層の辺縁と内層及び外層の辺縁は溶着される。中間層の材量はメルトブロー不織布であってよく、綿、ガーゼなどの通気性に優れた布などでもよい。
【００２２】
マスク本体１上に耳掛け部２が接続し、本実施例中の耳掛け部２は不織布シートであり、不織布シートはマスク加工の原材料であり、不織布を耳掛け部２に採用することにより様々な材料購入という問題点を解決し、生産コストが抑えられて生産効率が高まる。図１及び図２に示すマスクの具体的実施構造において、耳掛け部２上には第２スリット７が設けられ、第２スリット７はロータリーカッターを用いた回転刃による切断で形成される。耳掛け部２は第２スリットの切れ目に沿って開かれ、左耳掛け部３及び右耳掛け部４の両部分が形成され、左耳掛け部３は左耳に掛けるのに用いられ、右耳掛け部４は右耳に掛けるのに用いられる。図１と図２を組み合わせて参照されたい。マスクが折り畳まれた状態の位置を例にとると、本実施例中の耳掛け部２の左辺部２１は本体１の左辺部に固定され、耳掛け部２の右辺部２２は本体１の右辺部に固定され、本実施例中の本体１と耳掛け部２の固定方式は溶着である。
【００２３】
本実施例中の耳掛け部２は一体成形のシートであり、従来の耳掛け部の代わりに一体式の耳掛け部２を採用することにより、加工がより簡単になるという利点を有する。耳掛け部２と本体１の接続は本体１を加工する機器上で完成できるため、加工効率が大幅に上がると同時に、耳掛け部２の設計により一体性により優れ、外観がより整い、輸送により便利になるとともに、マスクが未使用か否かを見分けやすくなる。そして、耳掛け部２は本体１の辺部と顔面の間の隙間を密閉できるので、マスクの遮断効果がさらに高くなる。
【００２４】
本実施例中の本体１全体の形状は長方形であり、マスクの未使用時には一体性が確保され、マスクが占める空間が節約される。耳掛け部２の形状、大きさと体１が開いていない状態の形状、大きさは同じであり、耳掛け部２は本体１を覆う。耳掛け部２は辺部と本体１の溶着により固定が実現され、本実施例中の耳掛け部２の左辺部２１の上部及び下部並びに耳掛け部２の上部及び下部には本体１の辺部と溶着される溶着部３０が形成され、耳掛け部２の左辺部２１と耳掛け部２の右辺部２２の中間には本体１と溶着されない調整部２０が形成され、中間に位置して溶着されない調整部２０は本体１と耳掛け部２の間に残された調整可能な空間に等しく、このような構造により、マスクの使用時に本体１の辺部の中間領域で折り曲げを形成しやすくなり、本体１の使用時に、耳掛け部２と顔面が確実に密着する。
【００２５】
好ましい実施例において、耳掛け部２は本体１の外側に溶着される。このような耳掛け部２は耳に掛けて固定する役割を果たせるだけでなく、密閉遮断の役割も果たすことができる。しかも、このような耳掛け部は耳との接触面積もより大きく、装着もより快適になる。耳掛け部２を本体１の外側に設けるとき、耳掛け部２は外側から耳部分に向かって延伸するので、耳掛け部２と顔面がよりぴったりとフィットし、かつ呼吸する過程においてマスクの内圧が上昇する状況でも、このような設計により顔面全体に押し付ける力は確保され、気体を吸ったり吐いたりしてもマスクの辺部から漏れることがない。
【００２６】
好ましい実施例において、耳掛け部２の切れ目を裂き開いて左耳掛け部３と右耳掛け部４とする過程においてずれることがないよう、第２スリット７の数量は３つとし（ただし図１においてこの構造は未表示であり、長細い第２スリット７のみ表示される）、３つの第２スリット７は同一線上に位置するとともに上下方向に沿って配置されるため、各スリットが開かれる距離は小さく、これにより切れ目を開く過程において切れ目が破損することが回避される。第２スリット７の加工はロータリーカッターを用いて行うことができ、このような構造のスリットは加工過程において余分な廃材が出ることはほとんどなく、ゴミの発生が回避され、加工も簡単である。
【００２７】
耳掛け部２の左半分及び右半分の中間部にはいずれも第１スリット１０が開設され、第１スリット１０を開いて耳に掛けるのに用いられる耳掛け開口が形成される。このスリットもロータリーカッターにより形成され、１つの切れ目を開設するだけでよいので、耳掛け開口に必要な具体的大きさは第１スリット１０の大きさに基づいて決定される。耳掛け部を単独加工する必要がないので、耳掛け部全体の加工及び接続がとても行いやすくなる。
【００２８】
第２スリット７の設計構想と同様に、耳掛け部２の左半分又は右半分の第１スリット１０の数量は２つとし（ただし、図１及び図２においてこの構造は未表示であり、１つの第１スリットのみが表示される）、２つの第１スリット１０は同一線上に位置するとともに左右方向に沿って配置される。複数のスリットを裂いて１つの開口を形成することで、裂いて開く距離が長すぎて切れ目の寸法が対応せず、使用や美観に影響するという事態が避けられる。
【００２９】
装着時に耳掛け部２の付け心地がより快適で見た目がより良くなるように、耳掛け部２の寸法はできる限り縮小する必要があるため、顔面とフィットする面積を縮小する。したがって、本実施例の本体１の構造は以下のような設計を行う。
【００３０】
本体１は横方向に沿って延伸するプリーツ部５を含み、プリーツ部は複数の相互に重なる部分を有する折り重ね部６を含み、折り重ね部６の両側はそれぞれ相互に溶着される。本体１は中央部１１を含み、プリーツ部５にはマスク本体１の中央部１１から上方部に向かって顔面と接触する一側に上折り重ね部６１が形成され、マスク本体１の中央部１１から下方部に向かって顔面と接触する一側に下折り重ね部６２が形成される。このような構造のマスクは幅が小さいという利点を有し、マスクの左側及び右側と顔面がよりぴったりとフィットし、形成される隙間がより小さくなり、遮断効果に影響しない状況で、さらに美観や快適さに優れると同時に、コストも抑えられる。
【００３１】
本実施例において、中央部１１の上側プリーツの折り重ね回数は２回とし、中央部１１の下側プリーツの折り重ね回数は２回とし、本体１が開いていないとき、上側プリーツの顔面に一番近い折り目と下側プリーツの顔面に一番近い折り目が相互に接して直線を成すことにより、上側プリーツと下側プリーツの最も内側が中央部１１を完全に覆うようになる（図３に示す）。このようなプリーツ様式は、中央の幅が一定の状況において最も小さい幅寸法の本体１が得られ、マスクの本体１がよりコンパクトになり、かさばらなくなる。
【００３２】
マスクが開いていない状態では、本体１の幅は４０〜７０ｍｍの間であり、本実施例では具体的に４５ｍｍとし、本体の長さは１４０〜２００ｍｍの間であり、本実施例では具体的に１７０ｍｍとする。本体１の上側には細長くて自在に湾曲する部材が設置され、湾曲自在な部材はマスクのノーズフィッターとして使用される。
【００３３】
装着時、使用者は第２スリット７を裂いて開くだけで、耳掛け部２が左右２つの部分に分かれて左耳掛け部３及び右耳掛け部４が形成され、その後第１スリット１０を裂いて開くと耳掛け孔が形成され、正常なマスクの装着が完了する。
【００３４】
本実施例ではマスクの耳掛け部分に対する設計を行うことにより、本体１と異なる材質の紐を仕入れる必要があり、耳掛け部の溶着には単独の設備が必要となるという従来のマスクにある問題を解決する。したがって、このようなマスクは生産効率が高く、コストが低いという利点を有する。また、このような耳掛け部２の加工は簡単であり、マスク本体１を加工する設備を用いてマスク本体１との溶着を行うことができ、耳掛け部２の加工過程中で余分な廃材が発生することがない。スリット式の耳掛け部２は使用者がマスクが使用済みであるか否かを見分けるのに便利であり、業者が回収した古いマスクを新しいマスクとして販売することを回避できる。
【００３５】
また、耳掛け部２の形状が大きすぎて美観や付け心地に影響するのを回避するために、本願では新型のマスク本体１の構造を設計し、マスク本体１の構造は、中間部を両側に向かって折り重ねてプリーツを形成する方式によりマスクの幅が縮小し、マスク装着時に、マスクの左側及び右側と顔面がさらにぴったりフィットするようになり、マスクの耳掛け部２の幅寸法が縮小することにより、マスクの外観がより良くなり、付け心地もより快適になる。
【００３６】
本考案のマスクは外観の一体性に優れ、遮断効果が高く、遮断阻止の効果は市販のＮ９５マスクに匹敵し、しかもマスク全体の寸法がより小さく、付け心地がより快適になる。
【実施例２】
【００３７】
本実施例と実施例１の違いは、耳掛け部２がマスクの内側に溶着される点にある。
【実施例３】
【００３８】
本実施例と実施例１の違いは、マスク本体１が開いていない時、幅５５ｍｍ、長さ１７０ｍｍとなる点にある。
【実施例４】
【００３９】
本実施例と実施例１の違いは、本体１が開いていない時、上側プリーツの顔面に一番近い折り目と下側プリーツの顔面に一番近い折り目が相互に接して直線を成してはいないという点にある。
【実施例５】
【００４０】
本実施例と実施例１の違いは、本体１のプリーツ部５は従来のマスクの一方向に沿って形成されたプリーツである点にある。
【実施例６】
【００４１】
本実施例と実施例１の違いは、耳掛け部２上に第２スリット７を設けず、耳掛け部２上には横方向に沿った頭に掛ける又は耳に掛けるのに用いられる横方向に沿った第１スリット１０を設け、第１スリット１０は外力の作用により第１スリット１０の長さ方向に沿った切れ目が大きく開き、耳掛け部２の長さは２５０〜５００ｍｍであり、本実施例における長さは３００ｍｍが採用されるので、このようなマスクの使用時は、第１スリット１０を裂いて開くだけで上下２つのバンドが形成され、マスクを頭に掛けて固定することができる点にある。
【実施例７】
【００４２】
本実施例と実施例１の違いは、本体１がＮ９５マスクであり、耳掛け部２はＮ９５マスクの左側及び右側に溶着される点にある。
【実施例８】
【００４３】
本実施例と実施例１の違いは、第２スリット７及び第１スリット１０は穴状になる点にある。
【実施例９】
【００４４】
本実施例と実施例１の違いは、第２スリット７が切れ目によって代替される点にあり、切れ目と第２スリット７の違いは、切れ目の幅の方が大きく、耳掛け部２上の材料を除去しないと形成できない点にある。
【実施例１０】
【００４５】
本実施例と実施例１の違いは、第２スリット７がミシン目により代替される点にあり、ミシン目は耳掛け部２上に裂け目や隙間を形成しない。
【符号の説明】
【００４６】
１  本体
２  耳掛け部
３  左耳掛け部
４  右耳掛け部
５  プリーツ部
６  折り重ね部
７  第２スリット
１０  第１スリット
１１  中央部
２０  調整部
２１  左辺部
２２  右辺部
３０  溶着部
６１  上折り重ね部  
６２  下折り重ね部
【図１】
0003230835.tif 000003
【図２】
0003230835.tif 000004
【図３】
0003230835.tif 000005